(57)【要約】【課題】    指を曲げる際においても、手袋の指袋部の掌側に弛みが生じないようにして、フィット感を高める。【解決手段】  人の指を挿入可能な複数の指袋部１１〜１４，１６を備えた編成手袋であって、前記各指袋部１１〜１４，１６における人の１つ又は２つの指関節のうち少なくとも１つの指関節に対応する部分の指の長さ方向に沿った所定長の範囲においてのみ、掌側の編地のみが指の長さ方向に沿って収縮されて、当該掌側の長さが甲側の長さよりも短くなっている。【選択図】  図５
2013224499.tif 000002
【特許請求の範囲】
【請求項１】
人の指を挿入可能な複数の指袋部を備えた編成手袋であって、
前記各指袋部における人の１つ又は２つの指関節のうち少なくとも１つの指関節に対応する部分の指の長さ方向に沿った所定長の範囲においてのみ、又は４本胴部における指の長さ方向に沿った所定長の範囲においてのみ、掌側の編地のみが指の長さ方向に沿って収縮されて、当該掌側の長さが甲側の長さよりも短くなっていることを特徴とする編成手袋。
【請求項２】
編成手袋は、５本指手袋であって、親指袋部を除く残りの４つの各指袋部においては、指の付け根に近い第２指関節に対応する部分のみの掌側の長さが甲側の長さよりも短くなっていることを特徴とする請求項１に記載の編成手袋。
【請求項３】
請求項１又は２に記載の編成手袋を横編機又は丸編機を用いて編成する方法であって、
各指袋部における人の指関節に対応する部分を編成する際には、
各コースにおける甲側編地は、ヤーンフィーダーが通過して編糸が供給される毎に各編針で全旧ループに対して順次新ループを編成し、
各コースにおける掌側編地は、ヤーンフィーダーが通過して編糸が供給されても作動しない編針を設けて、連続する旧ループに対して断続させて新ループを編成して、掌側編地の以後の１ないし複数のコースにおいて以前のコースで編成欠落している旧ループに新ループを編成して、前記以前のコースにおける全ての旧ループに新ループを編成した後に、掌側編地において次のコースに進むように編成することを特徴とする編成手袋の編成方法。
【請求項４】
各コースにおける掌側編地は、２コースのうち最初のコースは、連続する２つの旧ループに対して先頭の旧ループに対してのみ新ループを編成し、次のコースは、前記連続する２つの旧ループの残りの１つの旧ループに対して新ループを編成して、甲側編地の２コースに対して掌側編地の１コースが形成されるように編成することを特徴とする請求項３に記載の編成手袋の編成方法。
【発明の詳細な説明】
【技術分野】
【０００１】
本発明は、指袋部に対するフィット感を高めた編成手袋、及びその編成方法に関するものである。
【背景技術】
【０００２】
特許文献１に示されるような横編機、或いは丸編機で編成される５本指手袋は、筒状に形成された各指袋部、及び５本胴部を膨らませる形態で、人の手に装着される。
【０００３】
一方、編成方法の面からは、編成手袋の甲側と掌側とは、各コースのループ数を同一とする同一条件で編成されるため、特に、各指袋部においては、人の指の操作が掌側のみに屈曲、或いはわん曲させるものであるため、指袋部における指の長さ方向に沿って甲側では引っ張られるのに対して、掌側では弛まされるために、指袋部の掌側に指の長さ方向に沿った余長が発生し、これが原因で人の指に対する手袋の指袋部のフィット感を悪くしていた。
【先行技術文献】
【特許文献】
【０００４】
【特許文献１】特開２００８−３０８７７３号公報
【発明の概要】
【発明が解決しようとする課題】
【０００５】
本発明は、編成手袋の上記した構造上の問題に鑑み、指を曲げる際においても、手袋の指袋部の掌側に弛みが生じないようにして、フィット感を高めた編成手袋及びその編成方法の提供を課題としている。
【課題を解決するための手段】
【０００６】
上記課題を解決するための請求項１の発明は、人の指を挿入可能な複数の指袋部を備えた編成手袋であって、前記各指袋部における人の１つ又は２つの指関節のうち少なくとも１つの指関節に対応する部分の指の長さ方向に沿った所定長の範囲においてのみ、又は４本胴部における指の長さ方向に沿った所定長の範囲においてのみ、掌側の編地のみが指の長さ方向に沿って収縮されて、当該掌側の長さが甲側の長さよりも短くなっていることを特徴としている。
【０００７】
請求項１の発明は、複数の指袋部を備えた編成手袋において、前記各指袋部における人の１つ又は２つの指関節のうち少なくとも１つの指関節に対応する部分の指の長さ方向に沿った所定長の範囲においてのみ、又は４本胴部における指の長さ方向に沿った所定長の範囲においてのみ、掌側の編地のみが指の長さ方向に沿って収縮されて、当該掌側の長さが甲側の長さよりも短くなっている。よって、人の指を掌側に屈曲又はわん曲させた場合には、指袋部の甲側では、従来の編成手袋と同様にして、指の長さ方向に引っ張られ、その掌側では、弛みが生じようとするが、掌側では、指の長さ方向に沿った長さが本来の長さよりも短くなっているため、掌側において余長は殆ど生じない。特に、前記余長は、指袋部の掌側における人の指関節に対応する部分で集中的に発生するのに対応させて、指袋部の掌側における人の指関節に対応する部分のみの指の長さ方向に沿った長さを集中的に短くしてあるので、指袋部の掌側に生ずる余長による「弛み感」は解消されて、指袋部の掌側に余長が生じなくなって、人の指に対する指袋部のフィット感が高まる。また、手袋の４本胴部においても、手袋を装着した手で物を掴む場合には、４本胴部の掌側に弛みが生じ易かったために、掴みづらいことがあったが、請求項１の発明によって、手袋の４本胴部の掌側の編地が指の長さ方向に沿って部分的に短くなるので、手袋を装着した状態で、物を掴む場合において、素手と同様の感覚で行える。
【０００８】
請求項１の発明は、指袋部を備えた編成手袋としては、一般の５本指編成手袋、親指を除く４本の指の全てが１つの指袋部に収容される２つの指袋部を備えたミトン（mitten) と称される編成手袋、親指を除く４本の指のうち連続した特定の２又は３本の指が１つの指袋部に収容される３つの指袋部を備えた編成手袋のいずれに対しても実施可能である。
【０００９】
請求項２の発明は、請求項１の発明において、編成手袋は、５本指手袋であって、親指袋部を除く残りの４つの各指袋部においては、指の付け根に近い第２指関節に対応する部分のみの掌側の長さが甲側の長さよりも短くなっていることを特徴としている。
【００１０】
５本指手袋においては、全指が独立した指袋部にそれぞれ収容されるために、各指袋部の掌側に生ずる前記余長の影響が大きく、請求項２の発明によれば、計５つの各指袋部の余長がそれぞれ独立して解消されるために、各指袋部の掌側の部分が指にぴったりとフィットする効果は大きい。
【００１１】
請求項３の発明は、請求項１又は２に記載の編成手袋を横編機又は丸編機を用いて編成する方法であって、各指袋部における人の指関節に対応する部分を編成する際には、各コースにおける甲側編地は、ヤーンフィーダーが通過して編糸が供給される毎に各編針で全旧ループに対して順次新ループを編成し、各コースにおける掌側編地は、ヤーンフィーダーが通過して編糸が供給されても作動しない編針を設けて、連続する旧ループに対して断続させて新ループを編成して、掌側編地の以後の１ないし複数のコースにおいて以前のコースで編成欠落している旧ループに新ループを編成して、前記以前のコースにおける全ての旧ループに新ループを編成した後に、掌側編地において次のコースに進むように編成することを特徴としている。
【００１２】
請求項３の発明に係る編成方法によれば、指袋部の編成において、人の指関節に対応する部分の編地の甲側を編成する編針は常に使用されて、全ての旧ループに対して新ループを編成するのに対して、前記編地の掌側を編成する編針は、その一部を規則的に休止させることにより、筒状の編地を甲側と掌側に二分した場合に、人の指関節に対応する部分の編地の甲側の編成済のコース数は、ヤーンフィーダーの周回の回数と同一であるが、同様の編地の掌側の編成済のコース数は、ヤーンフィーダーの周回の回数よりも少なくなるために、掌側で編成されるコース数は、甲側のコース数よりも少なくなる。この結果、指袋部を形成する編地のうち、人の指関節に対応する部分の長さは、掌側が甲側よりも短くなると共に、その部分の周長も他の一般部よりも短くなる。
【００１３】
請求項４の発明は、請求項３の発明において、各コースにおける掌側編地は、２コースのうち最初のコースは、連続する２つの旧ループに対して先頭の旧ループに対してのみ新ループを編成し、次のコースは、前記連続する２つの旧ループの残りの１つの旧ループに対して新ループを編成して、甲側編地の２コースに対して掌側編地の１コースが形成されるように編成することを特徴としている。
【００１４】
請求項４の発明によれば、指袋部における人の指関節に対応する部分では、甲側の編地の２コースに対して掌側の編地の１コースが編成されるため、指の長さ方向に沿った長さは、編地の掌側においては、理論上、その甲側の半分まで短くできる。
【発明の効果】
【００１５】
本発明に係る編成手袋は、各指袋部における人の１つ又は２つの指関節のうち少なくとも１つの指関節に対応する部分の指の長さ方向に沿った所定長の範囲において、掌側の編地のみが指の長さ方向に沿って圧縮されて、掌側の長さが甲側の長さよりも短くなっているために、人の指を掌側に屈曲又はわん曲させた場合には、指袋部の甲側では、従来の編成手袋と同様にして、指の長さ方向に引っ張られ、指袋部の掌側では、弛みが生じようとするが、掌側では、指の長さ方向に沿った長さが本来の長さよりも短くなっているために、余長は殆ど生じない。従って、手袋における指袋部のフィット感が高まる。
【００１６】
本発明に係る編成手袋の編成方法によれば、既存の横編機又は丸編機において、各コースにおける甲側編地は、ヤーンフィーダーが通過して編糸が供給される毎に各編針で全旧ループに対して順次新ループを編成し、各コースにおける掌側編地は、ヤーンフィーダーが通過して編糸が供給されても作動しない編針を設けることにより、容易に実施できる。
【図面の簡単な説明】
【００１７】
【図１】本発明に係る５本指編成手袋Ｇ1 を甲側からみた正面図である。
【図２】同じく背面図（５本指編成手袋Ｇ1 を掌側からみた正面図）である。
【図３】図１のＸ−Ｘ線断面図である。
【図４】図１のＺ−Ｚ線断面図である。
【図５】（ａ），（ｂ）は、それぞれ本発明及び従来の各５本指編成手袋Ｇ1 ，Ｇ1'の人差指袋部１４の使用状態の断面図である。
【図６】本発明に係るミトンＧ2 の背面図（掌側から見た図）である。
【図７】（ａ）は、横編機のニードルベッドの模式的斜視図であり、（ｂ）は、ニードルベッドにおいて小指部から親指部に至る５本の各指袋部が編成される部位を示す模式的平面図である。
【図８】（ａ）〜（ｄ）は、本発明に係る５本指編成手袋Ｇ1 の各指袋部１１〜１４，１６の編成時における編針Ｎの作用状態の説明図である。
【図９】（ａ）〜（ｄ）は、本発明に係る５本指編成手袋Ｇ1 の各指袋部１１〜１４，１６の掌側及び甲側の各編地の編成模式図である。
【図１０】（ａ）〜（ｄ）は、本発明に係る５本指編成手袋Ｇ1 の各指袋部１１〜１４，１６の掌側の編地の１コースが編成される途中までの順序を示す編成模式図である。
【図１１】（ａ），（ｂ）は、作用時、及び非作用時における編針Ｎの動きを説明する図である。
【発明を実施するための形態】
【００１８】
最初に、５本指の手袋の従来の編成方法について、前後に相対向する一組のニードルベッド（針盤）を備えた横編機の概要と共に説明する。図７（ａ）に示されるように、横編機には、一組のフロントニードルベッドＦＮとバックニードルベッドＢＮとが相前後して相対向し、しかも前後方向の中央部が高くなるように山形（逆Ｖ字形）に配置されており、前後の各ニードルベッドＦＮ，ＢＮには、それぞれ数十本ずつの編針群が挿入され、各編針は、ベッドの傾斜方向に沿って高サイクルで上下動する。
【００１９】
また、横編機の各ベッドＦＮ，ＢＮに設けられた多数本の編針のうち、作用させる編針を選択させる装置が設けられていて、別途作成された制御データにより、作用編針を決定している。例えば、図７（ｂ）に示されるよう、５本指の手袋の小指袋部、薬指袋部、中指袋部、人差指袋部及び親指袋部の各編成には、それぞれ各ニードルベッドＦＮ，ＢＮの右側から左側に向かって、それぞれイ，ロ，ハ，ニ，ホで示される各部位の連続した所定本数の編針が選択される。そして、手袋の編成においては、各部分毎に順次編成してゆくのであるが、全ての部分において筒状に編成される。
【００２０】
そして、５本指の手袋Ｇ1 の編成順序は、図１において昇順で丸付番号で示されているように、小指袋部１１、薬指袋部１２、中指袋部１３、人差指袋部１４、４本胴部１５、親指袋部１６、５本胴部１７、及びゴム編部１８の順番である。最初に、部位「イ」の編針にて小指袋部１１の編成を開始して、部位「イ」〜「ニ」の各編針で、小指袋部１１、薬指袋部１２、中指袋部１３及び人差指袋部１４を、指の配列順序でそれぞれ編成すると、部位「ニ」の編針にて人差指袋部１４を編成した時点では、４本の各指袋部は、部位「イ」〜「ニ」の各編針にぶら下がっている。引き続いて、部位「イ」〜「ニ」の間の連続した部分の各編針により４本胴部１５を編成した後に、部位「ホ」の編針により親指袋部１６を編成すると、４本胴部１５及び親指袋部１６は、それぞれ上記した各部位の編針にぶら下がっている。そして、５本胴部１７及びゴム編部１８を、全ての部位「イ」〜「ニ」の編針、即ち総針を使用して編成すると、一枚の５本指編成手袋Ｇ1 が完成する。
【００２１】
そして、小指、薬指、中指及び人差指の各指袋部１１〜１４の人の第２指関節（指の付け根に近い側の指関節）に対応する部分、並びに親指袋部１６の指関節に対応する部分における指の長さ方向に沿った所定長の範囲においてのみ、以下に述べる方法により編成されて、当該所定長の範囲においては、掌側の編地のみが指の長さ方向に沿って収縮されて、当該掌側の長さが甲側の長さよりも短くなっている。
【００２２】
即ち、図８〜図１０は、小指、薬指、中指及び人差指の各指袋部１１〜１４の人の第２指関節に対応する部分、並びに親指袋部１６の指関節に対応する部分の編成方法の原理を示す図であって、図８は、編針Ｎの作用状態の説明図であり、図９は、掌側及び甲側の各編地の編成模式図であり、図１０は、掌側の編地の１コースか編成される順序を示す編成模式図である。なお、図８〜図１０は、各指袋部１１〜１４，１６に共通の編成原理の説明図であるために、各ニードルベッドＦＮ，ＢＮで使用される編針の数は、現実の編成時の数ではなく、仮に「８」としてあり、複数本の各針の特定に関しては、フロント及びバックの各ニードルベッドＦＮ，ＢＮで、それぞれ「ａ1 〜ｈ1 ，ａ2 〜ｈ2 ，・・・」及び「Ａ1 〜Ｈ1 ，Ａ2 〜Ｈ2 ，・・・」と表示し、アルファベット符号の「添字」は、掌側の編地のみを指の長さ方向に沿って収縮編成させる部分（以下、「収縮編成部」という）の編成に使用された編針の「コースの数」を示す。また、図１０において、編糸Ｙの「添字」は、ヤーンフィーダーの周回の数を示す。
【００２３】
各指袋部の「収縮編成部」の最初のコースにおいては、図８〜図１０の（ａ）で示されるように、各ニードルベッドＦＮ，ＢＮの編針を全て作用させて編成し、第２コースにおいては、図８〜図１０の（ｂ）で示されるように、ヤーンフィーダーの周回走行（往復走行）に対してフロントニードルベッドＦＮにおいては、選択された編針（ａ〜ｈ）のうち１つおきの編針（ｂ，ｄ，ｆ，ｈ）を作用させて編成し、最初のコースで編成された旧ループＬ’に対して１つおきに新ループＬを編成すると共に、バックニードルベッドＢＮにおいては、選択された全ての編針（Ａ〜Ｈ）を作用させて、最初のコースで編成された全ての旧ループＬ’に対して新ループＬを編成する。
【００２４】
ここで、図１１（ａ），（ｂ）は、それぞれ編針Ｎの作用時、及び非作用時の各状態を対比して示す図であって、編針Ｎの作用時には、旧ループＬ’に対して編針Ｎが進入することによりベラ２１が外れた（「クリアリング」した）後に、ヤーンフィーダーの通過により供給される編糸Ｙを編針Ｎの先端で引っ掛け、その後に編針Ｎが後退する途中で旧ループＬ’にベラ２１が引っ掛かることにより閉じて、旧ループＬ’から編針Ｎが引き抜かれる（「ノックオーバー」される）ことにより、旧ループＬ’に対して新ループＬが編成される。これに対して、編針Ｎの非作用時には、編針Ｎは、旧ループＬ’を掴んだままで移動せず、ヤーンフィーダーの通過により編糸Ｙが供給されても、編針Ｎが編糸Ｙを引っ掛けることはない。よって、後編地である甲側では、全旧ループＬ’に対して新ループＬが編成されるのに対して、前編地である掌側では、旧ループＬ’に対して２つおきに新ループＬが編成されるため、編成欠落する旧ループＬ’が発生する。
【００２５】
次に、第３コースにおいては、図８〜図１０の（ｃ）に示されるように、フロントニードルベッドＦＮにおいては、直前の第２コースにおいて作用しなかった編針（ａ，ｃ，ｅ，ｇ）を作用させて、第２コースにおいて半分が編成欠落された旧ループＬ’の欠落部に対して新ループＬを編成させると共に、バックニードルベッドＢＮにおいては、選択された全ての編針（Ａ〜Ｈ）を作用させて、最初のコースで編成された全ての旧ループＬ’に対して新ループＬを編成すると、フロントニードルベッドＦＮにおいて、各ループが連続して編成されることにより、完成された「１ループ」が編成される。以後、図８〜図１０の（ｄ）に示されるように、同様の編成作用を必要なコース数だけ繰り返す。
【００２６】
これにより、図９（ｃ）に示されるように、各指袋部の「収縮編成部」においては、甲側の編地が「２コース」だけ編成される間に、掌側の編地は、その半分の「１コース」のみが編成されることになる。この結果。各指袋部の「収縮編成部」においては、甲側は、他の部分と同一に編成されているが、掌側は、甲側に比較して編成コースの数が半分となるために、収縮された状態となって、指の長さ方向に沿った長さが甲側に比較して短くなる。
【００２７】
なお、上記の説明から明白であって、図１０（ｂ）〜（ｄ）に示されるように、各指袋部の「収縮編成部」の掌側の編成において、第１コースを除く各コースの編糸（Ｙ2,Ｙ3,Ｙ4,・・）のうちループの形成に使用されない編糸（Ｙ2', Ｙ3', Ｙ4', ・・) が存在するために、「収縮編成部」のうち掌側は、甲側を含む他の一般部に比較して、やや「厚ぼったい」感じとなる。
【００２８】
なお、上記実施例の各指袋部の「収縮編成部」の編成方法は、甲側が「２コース」だけ編成される間に、掌側が「１コース」編成されるものであるが、各コースにおける非作用の編糸の選択により、甲側が「３コース」又は「３コース以上」のコースだけ編成される間に、掌側が「１コース」編成されるような編成方法も可能であり、これにより、上記実施例の編成方法に比較して掌側の収縮の割合が大きくなる。
【００２９】
上記のようにして編成された５本指編成手袋Ｇ1 の各指袋部１１〜１４，１６は、図１〜図３に示されるように、人の第２指関節に対応する「収縮編成部１１ａ〜１４ａ，１６ａ」が、甲側よりも掌側において短くなる。例えば、図３において、中指袋部１３の甲側の収縮編成部１３ａ2 の長さは、（Ｌ2 ）であるのに対して、掌側の収縮編成部１３ａ1 の長さは、（Ｌ1 ）であって（Ｌ1 ＜Ｌ2 ）、掌側は甲側よりも指の長さ方向に沿って収縮されている。このように、「収縮編成部１１ａ〜１４ａ，１６ａ」において、掌側のみが指の長さ方向に沿って収縮されることにより、当該「収縮編成部１１ａ〜１４ａ，１６ａ」においては、掌側以外の周辺の編地を指先側に引き込むように作用するため、図１及び図２に示されるように、５本指編成手袋Ｇ1 の「収縮編成部１１ａ〜１４ａ，１６ａ」は、正面視及び背面視のいずれにおいても、僅かにくびれた形状に編成される。
【００３０】
このため、図５（ａ），（ｂ）において、対比図示されているように、本発明に係る５本指編成手袋Ｇ1 によれば、人の指を曲げた状態においても、例えば中指袋部１３においては、その収縮編成部１３ａのうち掌側の部分１３ａ1 が、人の中指４１の第２指関節４２に密着するため、中指袋部１３を含めて全指袋部１１〜１４，１６の各指に対するフィット感が高まる。これに対して、従来の５本指編成手袋Ｇ’では、その中指袋部１３’を含めて全ての指袋部において、指関節との間に大きな隙間５１が発生して、人の指に対する指袋部のフィット感が不足して、手袋の装着感が悪くなる。なお、図５において、４３は、中指４１の第１指関節を示す。
【００３１】
また、上記実施例では、５本指編成手袋の親指袋部を除く残りの４つの各指袋部において、人の指の第２指関節に対応する部分のみに収縮編成部を形成した例であるが、前記各指袋部における人の指の第１指関節に対応する部分にも収縮編成部を形成することも可能である。
【００３２】
更に、５本指編成手袋の４本胴部１５の部分に本発明を実施して、掌側の編地のみを指の長さ方向に沿って部分的に短くすることにより、５本指編成手袋の装着時において、４本胴部１５の掌側の弛みをなくすか、或いは少なくして、装着感を高めることも可能である。
【００３３】
また、上記実施例では、５本指編成手袋に対して本発明を実施した例であるが、図６に示されるように、ミトンと称される編成手袋に対しても本発明は実施可能である。ミトンＧ2 は、親指袋部１６と、人の親指を除く４本の指の全てを収容する結合指袋部１９とを備えており、当該結合指袋部１９においては、人の指の第１指関節から第２指関節に至る部分に連続して収縮編成部１９ａが形成されている。ミトンＧ2 の結合指袋部１９は、人の４本の指を纏めて収容するために、掌側に５本指編成手袋よりも大きな弛みが発生し易いため、上記のような収縮編成部１９ａを形成することにより、指の長さ方向に沿った長さが短くできて、掌側の弛みを解消して、フィット感を高めることができる。
【符号の説明】
【００３４】
ＦＮ：フロントニードルベッド
ＢＮ：バックニードルベッド
Ｇ1 ：５本指編成手袋
Ｇ2 ：ミトン
１１：小指袋部
１２：薬指袋部
１３：中指袋部
１４：人差指袋部
１６：親指袋部
１９：結合指袋部
１１ａ〜１４ａ，１６ａ，１９ａ：収縮編成部
４１：中指
４２：中指の第２指関節
４３：中指の第１指関節
【図１】
2013224499.tif 000003
【図２】
2013224499.tif 000004
【図３】
2013224499.tif 000005
【図４】
2013224499.tif 000006
【図５】
2013224499.tif 000007
【図６】
2013224499.tif 000008
【図７】
2013224499.tif 000009
【図８】
2013224499.tif 000010
【図９】
2013224499.tif 000011
【図１０】
2013224499.tif 000012
【図１１】
2013224499.tif 000013